(57)【要約】本発明は，複数の第１係合突起１５を有するカバー１０と，複数の係合フラップ２３を有する容器本体２０と，を備える多段積層式容器を提供する。上記各係合フラップ２３は，上記容器本体２０の外面の所定領域から回動可能に伸長しており，係合孔２４が形成されている。上記多段積層式容器は，上記カバー１０と最上段の上記容器本体２０との間，または上記容器本体２０相互間に配置される中間蓋３０と，をさらに備える。上記中間蓋３０は，遮断板３１と，上記遮断板３１の縁部から溝形状に折り曲げられた結合部３２と，上記結合部３２の所定領域から下向きに伸長しており，その端部に第２係合突起２５が形成された複数の結合フランジ３５と，を含む。
2006522717.tif 000002
【特許請求の範囲】
【請求項１】
外面から外向きに突出し，外周面に沿って所定間隔で形成された複数の第１係合突起を有するカバーと；
前記カバーの前記第１係合突起と対応して，外周面に沿って所定間隔で形成された複数の係合フラップを有する複数の容器本体であって，前記係合フラップは，前記容器本体の外周面の所定領域から前記容器本体の上部開口近くまで回動可能に伸長し，前記第１係合突起が係合される係合孔を有する，複数の前記容器本体と；
前記カバーと最上段の容器本体との間，または前記容器本体相互間に配置される中間蓋であって，前記中間蓋は，遮断板と，前記遮断板の縁部から伸長して溝形状に折り曲げられ，前記容器本体の前記上部開口縁部に定着される結合部と，前記容器本体の外周方向に沿って所定間隔で配置され，前記結合部の所定領域から下向きに伸長し，隣接する容器本体の前記係合フラップに係合される第２係合突起が自由端側に形成された複数の結合フランジからなる，前記中間蓋と；
を備えることを特徴とする，多段積層式容器。
【請求項２】
前記容器本体には，前記中間蓋が前記容器本体に結合されるとき，前記結合フランジが前記容器本体の側壁に沿って下向きにスライド移動されるように，前記中間蓋の前記結合フランジに対応して前記容器本体の外面の所定領域から突出した一対のガイドを有する案内レールをさらに備えることを特徴とする，請求項１に記載の多段積層式容器。
【請求項３】
前記結合フランジは，前記容器本体に接する面である内面側が広く，外面側が狭くなるように両側部が傾斜面を形成し，
前記案内レールの各ガイドは，前記結合フランジの前記両側部と接する面が，前記両側部の前記傾斜面に対応して傾斜するように，前記容器本体の外面から突出するにつれて幅が広くなるように形成されたことを特徴とする，請求項１に記載の多段積層式容器。
【請求項４】
前記中間蓋の前記結合部内に，前記容器本体の前記上部開口縁部に密着するパッキングをさらに備えることを特徴とする，請求項１に記載の多段積層式容器。
【請求項５】
外面から外向きに突出し，外周面に沿って所定間隔で形成された複数の第１係合突起を有するカバーと；前記カバーの前記第１係合突起と対応して，外周面の所定領域から上部開口近くまで伸長し，前記第１係合突起が係合される係合孔を有し，前記カバーを結合する結合位置と前記カバーを解除する結合解除位置との間で回動する複数の係合フラップと，所定領域から底部近くまで，前記係合フラップと平行に突出し，別の容器本体の前記係合フラップに係合され，外周面に沿って所定間隔で形成された複数の第２係合突起と，を有する複数の容器本体と；
を備える多段積層式容器において：
前記容器本体相互間に配置される中間蓋を備え，
前記中間蓋は，遮断板と；
前記遮断板の縁部に下向開放の溝形状に形成され，前記各容器本体の前記上部開口縁部に定着される結合スロットと；
前記容器本体の前記第２係合突起に対応して，前記結合スロットの所定領域から外側に突出し，前記第２係合突起と共に同一の前記係合フラップに係合される第３係合突起と；
を有する前記中間蓋をさらに備えることを特徴とする，多段積層式容器。
【請求項６】
前記第３係合突起は，前記中間蓋の周方向に沿って形成された窪みのある前記第２係合突起を収容する収容部と；
前記収容部の両端には，前記第２係合突起と同一高さに突出しており，前記係合フラップに係合される補助突起と；
を含むことを特徴とする，請求項５に記載の多段積層式容器。
【請求項７】
前記中間蓋の前記結合スロット内に，前記容器本体の前記上部開口縁部に密着するパッキングをさらに備えることを特徴とする，請求項５に記載の多段積層式容器。
【発明の詳細な説明】
【技術分野】
【０００１】
本発明は，中間蓋を有する多段積層式容器に関し，より詳しくは，衛生的に飲食物を収容することができるだけでなく，中間蓋を用いて既存の容器も多段に積層することができる中間蓋を有する多段積層式容器に関する。
【背景技術】
【０００２】
一般に，飲食物を収容する収容容器の容器本体は，合成樹脂，耐熱ガラス，耐熱陶磁器などで成形されたものが使用されており，このうち，合成樹脂で成形された製品は大量生産が容易であり，低価格であるというだけでなく，取扱いが容易であるという利点を持っているので，最も広く使用されている。
【０００３】
上記収容容器の容器本体とカバーには，密閉容器に収容された飲食物を安全に保管，収容し，飲食物の漏出を防止するために，係合ユニットが備えられる。
【０００４】
従来の容器本体には，容器本体の外面の所定領域から外側に突出した複数の係合突起が周方向に沿って所定間隔で複数形成されている。そして，カバーには，フィルムヒンジを中心として上下に回動可能な係合フラップが形成されており，係合フラップには，上記係合突起が係合される係合孔が形成されている。
【０００５】
容器本体にカバーを結合するため，容器本体の開口縁部にカバーを覆った状態で，カバーの各係合フラップを容器本体側に回動させて加圧すれば，係合フラップの係合孔に容器本体の係合突起が弾性的に挿入されながら係合される。
【０００６】
ところが，上記のような従来の収容容器は，以下に示す様々な問題点を有する。
【０００７】
まず，従来の収容容器は多段に積層することができないという問題点がある。近年，家庭で食事する回数が減少し，家族数が減少するにしたがい，家庭で食事の準備や料理をするとき，一度に多くの飲食物を料理することはしない。むしろ，一度に様々な飲食物を少しずつ料理する場合が多い。したがって，収容する飲食物の種類が多くなるので，収容容器自体の大きさよりは，複数の収容容器が必要となる。しかし，収容容器の数を多くして使用すると，冷蔵庫の収納空間を多く占有することになる。このため，一つのカバーのみを使用しながらも複数の容器本体を積層させる多段積層式容器が必要となる。
【０００８】
しかし，このように，複数の容器本体を多段に積層させる場合，下側の容器本体に収容される飲食物によって，上部に積層された容器本体の底板の外側に飲食物が付着するおそれがある。さらに，飲食物が容器底板に付着した状態で，容器本体を任意の面上に置く場合，面上に存在する汚れが容器本体の底板に付着するおそれがある。そして，汚れが付着した容器本体を再び他の容器本体の上部に積層させると，他の容器本体に収容されている飲食物に汚れが落ちるおそれがある。
【０００９】
したがって，上記のような非衛生的なことが発生しないように，容器本体の底板に飲食物が付着することを防止できる方法を模索しなければならない。
【００１０】
一方，従来は，このような多段積層式容器を製作するためには，容器の構造を新たに設計して製作しなければならないため，従来の容器を活用することができなかった。上記のような問題点を解決するため，既存の容器を用いて多段に積層することができる方法を検討する必要がある。このようにすることにより，既存の容器を活用して家計の負担を減らすことができる。
【発明の開示】
【発明が解決しようとする課題】
【００１１】
本発明は，従来技術で生じた上記の問題を考慮してなされたものであり，本発明の目的は，容器を多段に積層させることができるだけでなく，衛生的に飲食物を収容することができ，既存の容器を再利用することができる多段積層式容器を提供することである。
【００１２】
また，本発明のほかの目的は，中間蓋と容器本体間，中間蓋と隣接容器本体間の結合力および密着力を向上させることにより，収容された飲食物の漏出を防止することができる中間蓋を有する多段積層式容器を提供することである。
【課題を解決するための手段】
【００１３】
本発明の一観点によれば，本発明は，外面から外向きに突出し，外周面に沿って所定間隔で形成された複数の第１係合突起を有するカバーと；上記カバーの上記第１係合突起と対応して，外周面に沿って所定間隔で形成された複数の係合フラップを有する複数の容器本体であって，上記係合フラップは，上記容器本体の外周面の所定領域から上記容器本体の上部開口近くまで回動可能に伸長し，上記第１係合突起が係合される係合孔を有する，複数の上記容器本体と；上記カバーと最上段の容器本体との間，または上記容器本体相互間に配置される中間蓋であって，上記中間蓋は，遮断板と，上記遮断板の縁部から伸長して溝形状に折り曲げられ，上記容器本体の上記上部開口縁部に定着される結合部と，上記容器本体の外周方向に沿って所定間隔で配置され，上記結合部の所定領域から下向きに伸長し，隣接する容器本体の上記係合フラップに係合される第２係合突起が自由端側に形成された複数の結合フランジと，からなる，上記中間蓋と；を備えることを特徴とする，多段積層式容器を提供する。
【００１４】
上記容器本体には，上記中間蓋が上記容器本体に結合されるとき，上記結合フランジが上記容器本体の側壁に沿って下向きにスライド移動されるように，上記中間蓋の上記結合フランジに対応して上記容器本体の外面の所定領域から突出した一対のガイドを有する案内レールをさらに備えることを特徴とすることができる。
【００１５】
上記結合フランジは，上記容器本体に接する面である内面側が広く，外面側が狭くなるように両側部が傾斜面を形成し，上記案内レールの各ガイドは，上記結合フランジの上記両側部と接する面が，上記両側部の上記傾斜面に対応して傾斜するように，上記容器本体の外面から突出するにつれて幅が広くなるように形成されたことを特徴とすることができる。
【００１６】
上記中間蓋の上記結合部内に，上記容器本体の上記上部開口縁部に密着するパッキングをさらに備えることを特徴とすることができる。
【００１７】
外面から外向きに突出し，外周面に沿って所定間隔で形成された複数の第１係合突起を有するカバーと；上記カバーの上記第１係合突起と対応して，外周面の所定領域から上部開口近くまで伸長し，上記第１係合突起が係合される係合孔を有し，上記カバーを結合する結合位置と上記カバーを解除する結合解除位置との間で回動する複数の係合フラップと，所定領域から底部近くまで，上記係合フラップと平行に突出し，別の容器本体の上記係合フラップに係合され，外周面に沿って所定間隔で形成された複数の第２係合突起と，を有する複数の容器本体と；を備える多段積層式容器において：上記容器本体相互間に配置される中間蓋を備え，上記中間蓋は，遮断板と；上記遮断板の縁部に下向開放の溝形状に形成され，上記各容器本体の上記上部開口縁部に定着される結合スロットと；上記容器本体の上記第２係合突起に対応して，上記結合スロットの所定領域から外側に突出し，上記第２係合突起と共に同一の上記係合フラップに係合される第３係合突起と；を有する上記中間蓋をさらに備えることを特徴とする，多段積層式容器を提供する。
【００１８】
上記第３係合突起は，上記中間蓋の周方向に沿って形成された窪みのある上記第２係合突起を収容する収容部と；上記収容部の両端には，上記第２係合突起と同一高さに突出しており，上記係合フラップに係合される補助突起と；を含むことを特徴とすることができる。
【００１９】
上記中間蓋の上記結合スロット内に，上記容器本体の上記上部開口縁部に密着するパッキングをさらに備えることを特徴とすることができる。
【発明を実施するための最良の形態】
【００２０】
以下，図面を参照する。図面中の符号は，同一または類似する構成要素を図示するときは，異なる図面においても同一の番号を付する。
【００２１】
本発明の多段積層式容器は，カバーに係合突起を形成し，容器本体に係合フラップを形成することにより，多段に積層させることができる。またそれだけでなく，容器飲食物を衛生的に収容することができ，既存の容器を活用して多段に積層することができるようにしたものである。
【００２２】
以下，本発明の多段積層式容器の詳細な構造を図面に基づいて説明する。本実施形態では円形容器について説明するが，本発明の特許請求の範囲はこれに限定されない。
【００２３】
本発明の第１の実施形態にかかる多段積層式容器は，図１および図２に示すように，一のカバー１０と，複数の容器本体２０と，複数の中間蓋３０と，を備える。
【００２４】
カバー１０は，略円形に形成され，カバー１０の円の中心を基準として外周の相互に対向する部分には，平面形状の係合部が形成されている。本実施形態においては，前後および左右の４箇所に係合部を形成する。上記カバー１０は，最上段の容器本体２０を被覆するカバー板１１と，カバー板１１から下向きに伸びている側面板１２とからなり，側面板１２の外周にある各係合部には，側面板１２の外周から外側に突出した第１係合突起１５が形成されている。
【００２５】
各第１係合突起１５は，その端部に上向きに突出した第１係止突起１６が形成されており，この第１係止突起１６によって，係合フラップ２３が第１係合突起１５に弾性的に係合されたり解除されたりする。
【００２６】
容器本体２０はそれぞれ，カバー１０に被覆される構造を有しており，上記カバー１０と同様の方法で，係合機構が設けられた平面形状の複数の係合部を備えている。また，容器本体２０は，円筒状に形成され，底板２１と側壁板２２とを含む。容器本体２０の開口端から所定距離だけ離隔した側壁板２２の領域には，カバー１０の側面板１２が定着される定着リブ（図示せず）が円周方向に沿って外側に突設されている。そして，容器本体２０の下部の角部分には，側壁板２２と底板２１を，側壁板２２に対して後退させて段差をなす段差部２８が形成されており，この段差部２８は，容器本体２０の下部に結合される別の容器本体２０の開口縁部に定着され，容器本体２０が別の容器本体２０に積層できるようにする。
【００２７】
容器本体２０の各係合部には，カバー１０の第１係合突起１５を係合する係合フラップ２３が形成されている。係合フラップ２３は，容器本体２０の外壁板２２の外面上から定着リブと並んで外側に突出しており，定着リブが伸張された領域に形成されたフィルムヒンジを中心として上下方向に回動可能に形成される。係合フラップ２３には，係合フラップ２３を第１係合突起１５に係合する係合孔２４が形成されており，係合孔２４は，容器本体２０の側壁板２２の外面まで到達するように形成されている。これにより，係合孔２４が形成された領域にはフィルムヒンジが形成されていないので，係合フラップ２３の回動が円滑になる。係合フラップ２３が第１係合突起１５または下記に述べる第２係合突起２５と係合される時，フィルムヒンジの弾性力によって係合フラップ２３が解除されることを防止できる。
【００２８】
上記容器本体２０の側壁板２２の各係合部には，側壁板２２の上下方向に案内レール１３が形成されている。案内レール１３は所定の幅を置いて配置され，側壁面２２の外面上から外側に突出した上下方向に長い一対のガイド１４によって形成されている。各ガイド１４は，容器本体２０の側壁板２２から突出するほど各ガイド１４そのものの幅は広がり，各ガイド１４間の幅は狭くなるように斜めに形成される。
【００２９】
一方，容器本体２０とカバー１０には，最上段の容器本体２０から外されたカバー１０の上に容器本体２０を定着させるための構造が備えられている。すなわち，容器本体２０の底板２１には，環状突条２９が容器本体２０の円周方向に沿って底板２１の外面から下向きに所定幅で突設されている。カバー１０のカバー板１１には，環状突条２９の内径または外径に対応する半径を有する定着環状突条１９が，カバー板１１の外面から円周方向に沿って上向きに突設されている。これにより，カバー１０を任意の支持面に置き，容器本体２０をカバー１０の上に定着させれば，カバー１０の定着環状突条１９と最下段の容器本体２０の環状突条２９とが緊密に接触し，容器本体２０の遊動を防止することができる。
【００３０】
最上段の容器本体２０とカバー１０との間，または容器本体２０間それぞれに装着される中間蓋３０は，図３および図４に示すように，隣り合うように積層された二つの容器本体２０間の接触を遮断する遮断板３１と，遮断板３１を容器本体２０に結合する結合部３２と，結合部３２の所定部から容器本体２０の段差部２８の上部まで伸びて形成されている結合フランジ３５とを含む。
【００３１】
遮断板３１は，カバー１０のカバー板１１と容器本体２０の底板２１に平行に配置される。結合部３２は，遮断板３１の縁部から上向きに，外側に，そして下向きに溝形状に折り曲げられて下向開放で形成される。上記結合部３２内にはパッキング３３が装着され，上記パッキング３３によって容器本体２０と中間蓋３０間とが密封されるので，飲食物が漏出することを防止することができる。
【００３２】
中間蓋３０の結合フランジ３５は，係合部に対応して２対で形成される。中間蓋３０が容器本体２０に結合されるとき，結合フランジ３５は，係合フラップ２３の係合孔２４を貫通するように配置される。また，結合フランジ３５は，上述した案内レール１３に沿ってスライド移動させる。これにより，結合フランジ３５は，案内レール１３の形状に対応するように，容器本体２０との接触側である結合フランジ３５の内側面から外側面に行くほど結合フランジ３５そのものの幅が狭くなるように，両端部で傾斜面を成している。上記結合フランジ３５の末端には，隣り合うほかの容器本体２０の係合フラップ２３が係合される第２係合突起２５が形成されており，第２係合突起２５の端部には，第２係合突起２５の端から上向きに突出した第２係止突起２６が形成されている。第２係合突起２５は，中間蓋３０が容器本体２０に結合されるとき，容器本体２０の段差部２８の直上に位置することになる。一方，中間蓋３０のうち，最下段の容器本体２０に結合される中間蓋３０には，最下段の容器本体２０の下部に係合フラップ２３が配置されないので，第２係合突起２５を形成する必要がない。
【００３３】
上記中間蓋３０は，それぞれ相違なる収容容量を有する。中間蓋３０は，遮断板３１から上向きに折り曲げられた結合部３２の高さをどのように形成するのかによって，遮断板３１と上部に配置された容器本体２０との離隔距離が決定される。離隔距離が短い場合，中間蓋３０は隣接した二つの容器本体２０間の接触を遮断する役割をすることになり，上部に積層された容器本体２０への飲食物の付着を防止することになる。一方，離隔距離が長い場合，つまり遮断板３１から上向きに折り曲げられた結合部３２の高さを高くする場合，上部に配置された容器本体２０との間に空間が生ずることになり，この空間にほかの飲食物を収容することもできる。すなわち，中間蓋３０によって収容空間がもう一つ増加することになり，相異なる収容容量を有する中間蓋３０を設けることで，飲食物量によって適切な容量の中間蓋を使用することができるので，使用者の便宜を図ることができる。
【００３４】
上記第１の実施形態にかかる多段積層式容器の使用過程を簡単に説明すれば次のようになる。
【００３５】
まず，各容器本体２０に飲食物を収容させ，各容器本体２０に中間蓋３０を結合させる。この際，中間蓋３０と上部に配置された容器本体２０との離隔距離が大きい場合には，中間蓋３０にも飲食物を収容することができる。中間蓋３０を容器本体２０に結合させるときには，中間蓋３０の結合フランジ３５を容器本体２０の係合フラップ２３の係合孔２４に貫通させた後，結合フランジ３５を容器本体２０の案内レール１３に沿ってスライド移動させる。その結果，結合フランジ３５が容器本体２０の側壁板２２に密着されるので，結合フランジ３５の遊動を防止することができる。中間蓋３０が容器本体２０に結合されると，中間蓋３０のパッキング３３によって中間蓋３０と容器本体２０間は密着される。上述のように中間蓋３０が結合された各容器本体２０を別の容器本体２０の上側に連続的に積層させた後，最上部の容器本体２０にはカバー１０が覆われる。そして，最上部に積層された容器本体２０の係合フラップ２３をカバー１０に向けて回動させて加圧すれば，図５に示すように，カバー１０の第１係合突起１５が，最上段の容器本体２０の係合フラップ２３の係合孔２４に弾性的に係合される。また，各容器本体２０の係合フラップ２３を，その上部に積層された容器本体２０に向けて回動させて加圧すれば，図６に示すように，各中間蓋３０の結合フランジ３５に形成された第２係合突起２５が，係合フラップ２３に弾性的に係合される。
【００３６】
このように，本発明の実施形態において，中間蓋３０を使用することにより，各容器本体２０の底面に飲食物が付くおそれがない。また，上側に積層される容器本体２０を汚れている面上に置くことによって，当該容器本体２０の底面に汚れが付着したとしても，下側に中間蓋３０があるので，下部に配置された容器本体２０内に収容された飲食物へ上記汚れが浸入することを防止できる。中間蓋３０に飲食物を収容した場合，中間蓋３０の結合フランジ３５が脚の役割をして，底面と中間蓋３０を離隔させることができ，中間蓋３０に汚れが付着することを防止できる。これにより，飲食物を衛生的に収容することができることになる。
【００３７】
一方，中間蓋３０の結合フランジ３５に第２係合突起２５を形成することにより，中間蓋３０のみがあれば，既存の容器も多段に積層することができる。したがって，中間蓋３０を購入するだけで多段積層式容器を形成することができるので，家計の負担を減らすことができる。また，容器本体２０自体には，第１係合突起および第２係合突起といった係合突起が形成されないので，容器本体２０の洗浄作業が簡便であり，洗浄作業中に手やたわしなどが係合突起にかかって怪我をすることを防止できる。
【００３８】
本発明の第２の実施形態にかかる多段積層式容器を以下に説明する。
【００３９】
本発明の第２の実施形態にかかる多段積層式容器は，中間蓋に係合突起を設け，上部に積層された容器本体に設けられた係合突起と共に同一係合フラップに係合されるようにすることにより，中間蓋と容器本体，中間蓋と積層された隣接するほかの容器本体との結合力および密着力を向上させる。
【００４０】
以下，この多段積層式容器の詳細な構造について図面を参照して説明する。本実施形態では円形容器について説明するが，本発明の請求範囲はこれに限定されない。
【００４１】
本発明の第２の実施形態にかかる多段積層式容器は，図７および図８に示すように，単一のカバー１１０と，複数の容器本体１２０と，中間蓋１３０とを備えている。
【００４２】
カバー１１０は，略円形に形成され，カバー１１０の円の中心を基準として外周の相互に対向する部分には，係合機構を提供するために，平面形状の係合部が形成されている。係合部は，相互に対向する１対または２以上の対で形成されることができる。上記カバー１０は，容器本体１２０を遮断するカバー板１１１と，カバー板１１１の縁部から下向きに折り曲げられて伸びている側面板１１２とからなり，側面板１１２の各係合部には，側面板１１２の外周面から外側に突出した第１係合突起１１５が形成されている。
【００４３】
第１係合突起１１５は，以下に説明する係合フラップ１２３の係合孔１２４に係合されるように，第１係合突起１１５の端部から上向きに突出した第１係止突起１１６が形成されている。この第１係止突起１１６によって，係合フラップ１２３が第１係合突起１１５に弾性的に係合および解除される。
【００４４】
一方，カバー１１０の縁部には，図９，図９Ａおよび図１０に示すように，容器本体１２０の開口縁部を収容する下向開放の溝形状の収容溝１１７が形成されており，収容溝１１７にはパッキング１１８ａが装着されることで，最上段の容器本体１２０とカバー１１０間とが密封される。
【００４５】
容器本体１２０はそれぞれ，カバー１１０に被覆される構造を有しており，カバー１１０の係合部に対応する平面形状の係合部が形成されている。また，容器本体１２０は，円筒状に形成され，円形底板１２１と，底板１２１の縁部から起立した側壁板１２２とを含む。容器本体１２０の開口端から所定距離だけ離隔した側壁板１２２の領域には，カバー１１０の側面板１１２が定着される定着リブ（図示せず）が円周方向に沿って外側に突設されている。そして，容器本体２０の底板１２１に隣接した側壁板１１２の下部には，底板１２１を，側壁板１２２に対して後退させて段差をなす段差部１２８が形成されており，この段差部１２８は，容器本体１２０の下部に結合される別の容器本体１２０の開口縁部に定着され，容器本体１２０が別の容器本体１２０に積層できるようにする。
【００４６】
容器本体１２０の各係合部には，カバー１１０の第１係合突起１１５に係合される係合フラップ１２３と，他の容器本体１２０の係合フラップ１２３を係合する第２係合突起１２５とが設けられている。上記第２係合突起１２５は，容器本体１２０の段差部１２８の直上に形成され，第２係合突起１２５の端部には，第１係合突起１１５と同様の方法で，第２係止突起１２６が形成されている。
【００４７】
係合フラップ１２３は，容器本体１２０の外壁板１２２の外面上から定着リブと並んで外側に突出しおり，定着リブを拡張した領域に形成されたフィルムヒンジを中心として上下方向に回動可能に設けられる。係合フラップ１２３には，第１係合突起１１５または第２係合突起１２５が結合される係合孔１２４が形成されており，係合孔２４は，容器本体２０の側壁板２２の外面まで到達するように形成されている。
【００４８】
一方，容器本体１２０とカバー１１０には，最上段の容器本体１２０から外されたカバー１１０の上に容器本体１２０を定着させるための構造が備えられている。すなわち，容器本体１２０の底板１２１には，環状突条１２９が，容器本体１２０の円周方向に沿って所定幅で底板２１の外面から下向きに緩く突設されている。カバー１１０のカバー板１１１には，環状突条１２９の内径または外径に接する半径を有する第１定着環状突条１１９が，円周方向に沿ってカバー板１１１の外面から上向きに突設されている。これにより，カバー１１０を任意の支持面に置き，容器本体１２０をカバー１１０に定着させれば，図４に示すように，カバー１１０の第１定着環状突条１１９と最下段の容器本体１２０の環状突条１２９が緊密に接触し，容器本体１２０の遊動を防止することができる。以下に説明する中間蓋１３０には，上部に積層される容器本体１２０の環状突条１２９に対応して定着される第２定着環状突条１３９が窪んだ形状で形成されている。
【００４９】
第２の実施形態にかかる多段積層式容器において，最上段の容器本体１２０とカバー１１０との間，または容器本体１２０間それぞれに装着される中間蓋１３０は，隣接して積層された二つの容器本体１２０間の接触を遮断する遮断板１３１と，容器本体１２０の開口縁部が収容される結合スロット１３２が形成された側壁面とを含む。遮断板１３１は，カバー１１０と容器本体１２０に平行に配置され，結合スロット１３２は，遮断板１３１の縁部から上向きに，外側に，そして下向きに折り曲げられることによって下向開放の溝形状で形成される。結合スロット１３２の内部にはパッキング１１８ｂが装着され，容器本体１２０の開口縁部と中間蓋１３０間とが密封される。
【００５０】
一方，中間蓋１３０には，容器本体１２０の第２係合突起１２５と別の容器本体１２０の係合フラップ１２３に対応する側壁面に，側壁面上から外側に突出した第３係合突起１３５が形成される。第３係合突起１３５は，中間蓋１３０の外周方向に沿って第２係合突起１２５を収容する収容部１３７と，収容部１３７の両端に第２係合突起１２５と同一の高さに突出して係合フラップ１２３に係合される補助突起１３６とからなる。ここで，補助突起１３６が第２係合突起１２５と同一形状および同一突出高さに形成されることにより，係合フラップの係合の時，第２係合突起１２５と第３係合突起１３５が一体に係合フラップによって係合される。
【００５１】
上記第２の実施形態にかかる多段積層式容器の使用過程を簡単に説明すれば次のようになる。
【００５２】
まず，各容器本体１２０と，飲食物の収容ができるように深く形成された中間蓋１３０とにそれぞれ飲食物を収容させ，各容器本体１２０に中間蓋１３０を結合させる。この際，中間蓋１３０のパッキング１１８ｂが容器本体１２０の開口縁部と接することになる。このように中間蓋１３０を覆った各容器本体１２０を上下に積層させ，最上部に積層された容器本体２０にカバー１０を覆う。次に，容器本体１２０の下部に配置された中間蓋１３０の第３係合突起１３５の収容部１３７には，上部に定着された容器本体１２０の第２係合突起１２５が収容される。結合スロット１３２内には，容器本体１２０の開口縁部が収容されて，開口縁部はパッキング１１８ｂと接することになる。そして，最上段に積層された容器本体１２０にカバー１１０を覆う。カバー１１０の収容部１３７および収容溝１１７には，容器本体１２０の開口縁部が収容されて，開口縁部はパッキング１１８ａと接することになる。この状態で，最上部に積層された容器本体１２０の係合フラップ１２３をカバー１１０に向けて回動させて加圧することで，カバー１１０の第１係合突起１１５が，係合フラップ１２３の係合孔１２４に弾性的に係合される。そして，各容器本体１２０の係合フラップ１２３をその上部に積層された容器本体１２０に向けて回動し加圧することで，それぞれの第３係合突起１３５と，第３係合突起１３５の収容溝１３７内に収容された第２係合突起１２５が，係合フラップ１２３の係合孔に弾性的に係合される。この際，カバー１１０のパッキング１１８ａと中間蓋１３０のパッキング１１８ｂがそれぞれ容器本体１２０の開口縁部に密着して気密状態を維持することになる。
【００５３】
このように，本実施形態において結合構造を有する中間蓋１３０を使用する場合，中間蓋１３０は，係合フラップ１２３によって，上部に積層された容器本体１２０と緊密に結合される。したがって，中間蓋１３０と隣接容器本体１２０間の結合力を向上させるとともに，中間蓋１３０と当該容器本体１２０との結合力および密着力を向上させることができるので，多段積層式容器の全体的な気密性を保障することができることになる。
【００５４】
さらに，各容器本体１２０の底板１２１に飲食物が付着するおそれがないだけでなく，容器本体１２０を任意の面上に置くことにより底板１２１に汚れが付着しても，中間蓋１３０によって遮断されるので，下側に配置された容器本体１２０内に収容された飲食物に，上側の容器本体１２０に付着した汚れが浸入することを防止することができる。
【産業上の利用可能性】
【００５５】
以上説明したように，本発明は，衛生的に飲食物を収容することができるだけでなく，既存の容器も多段に積層することができる中間蓋を有する多段積層式容器を提供する。
【００５６】
また，中間蓋と隣接容器本体間の結合力を向上させるとともに中間蓋と当該容器本体間との結合力および密着力を向上させることができるので，収容された飲食物の漏出を防止することができる。
【００５７】
以上，本発明の好適な実施形態を例示の目的で開示したが，当業者であれば，添付した特許請求の範囲に開示した本発明の範囲から逸脱しないで多様な変形，付加および代替が可能であると了解される。
【００５８】
添付図面を参照すると上述した詳細な説明に基づいて，本発明の上記の目的，特徴および他の目的，特徴，ならびに他の利点は，より明確に理解可能であると了解される。
【図面の簡単な説明】
【００５９】
【図１】は，本発明の実施形態にかかる多段積層式容器の平面図である。
【図２】は，図１の多段積層式容器の側面図である。
【図３】は，図１のＡ−Ａ線についての断面図である。
【図４】は，図３のＢ−Ｂ線についての断面図である。
【図５】は，図３の囲み部分“Ａ”の拡大断面図である。
【図６】は，図３の囲み部分“Ｂ”の拡大断面図である。
【図７】は，本発明の他の実施形態にかかる中間蓋を有する多段積層式容器の分解斜視図である。
【図８】は，図７の多段積層式容器の結合断面図である。
【図９Ａ】は，図７の多段積層式容器の係合フラップ周辺部分のの拡大断面図である。
【図９Ｂ】は，図７の多段積層式容器の第２係合突起および第３係合突起部分を拡大して示す斜視図である。
【図１０】は，図７の多段積層式容器の使用状態を示す断面図である。
【図１】
2006522717.tif 000003
【図２】
2006522717.tif 000004
【図３】
2006522717.tif 000005
【図４】
2006522717.tif 000006
【図５】
2006522717.tif 000007
【図６】
2006522717.tif 000008
【図７】
2006522717.tif 000009
【図８】
2006522717.tif 000010
【図９Ａ】
2006522717.tif 000011
【図９Ｂ】
2006522717.tif 000012
【図１０】
2006522717.tif 000013
【国際調査報告】
2006522717.tif 000014